(57)【要約】【課題】画像の劣化が少なく、高圧縮率で圧縮して保存すること。【解決手段】無線タグが付加された印刷用紙に画像データを印字するプリンタエンジン２１９と、この印字された画像データを記憶するＨＤＤ２１２と、上記印刷用紙を無線走査し、無線タグへ無線情報を送信するリーダライター２１４と、上記印刷用紙を無線走査し、無線タグからの無線情報を受信するリーダライター２１６と、を備え、無線送信手段は、前記印字画像記憶手段に記憶されている画像データのアドレスを送信する。【選択図】        図１４
2006011977.tif 000002
【特許請求の範囲】
【請求項１】
無線タグが付加された印刷用紙に画像データを印字する画像データ印字手段と、
前記印字された画像データを中間言語で記憶する印字画像記憶手段と、
前記印刷用紙を無線走査し、前記無線タグへ無線情報を送信する無線送信手段と、
前記印刷用紙を無線走査し、前記無線タグからの無線情報を受信する無線受信手段と、
を備え、
無線送信手段は、前記印字画像記憶手段に記憶されている画像データのアドレスを送信することを特徴とする画像処理装置。
【請求項２】
前記無線送信手段は、前記印字画像記憶手段を有する機器を認識するためのコードを送信することを特徴とする請求項１に記載の画像処理装置。
【請求項３】
無線タグが付加された印刷用紙に印字した画像データを記憶する印字画像記憶手段と、
スキャナーの原稿読み取りに同期して無線タグが付加された原稿を無線走査し、無線タグへ無線情報を送信する無線送信手段と、
スキャナーの原稿読み取りに同期して無線タグが付加された原稿を無線走査し、無線タグからの無線情報を受信する無線受信手段と、
前記無線受信手段により読み取られた無線タグの内容を記憶する無線タグ内容記憶手段と、
前記無線タグ内容記憶手段に記憶された内容にしたがって画像データを前記印字画像記憶手段から検索する画像データ検索手段と、
前記スキャナーにより読み込まれた画像データと前記画像データ検索手段により検索された画像データとの差分処理を行ない、書き加えられた画像データを抽出する差分データ抽出手段と、
前記差分データ抽出手段で抽出された差分データを記憶する差分データ記憶手段と、
を備えたことを特徴とする画像処理装置。
【請求項４】
前記差分データ抽出手段は、前記画像データ検索手段により検索された画像データへ追加する画像データ生成手段を有することを特徴とする請求項３に記載の画像処理装置。
【請求項５】
前記差分データ抽出手段は、前記印字画像記憶手段に記憶された画像データをプリンタ解像度／コピー解像度の比率にしたがって変倍する変倍手段を有することを特徴とする請求項３に記載の画像処理装置。
【請求項６】
前記差分データ抽出手段は、前記スキャナーにより読み込まれた画像データと前記画像データ検索手段により検索された画像データとの不一致量を検出する不一致量検出手段を有することを特徴とする請求項３に記載の画像処理装置。
【請求項７】
前記差分データ抽出手段は、前記不一致量検出手段により抽出された不一致量となるＸ，Ｙ方向を求め、前記画像データ検索手段により検索された画像データを前記Ｘ，Ｙ方向へ移動させる検出画像移動手段を有することを特徴とする請求項６に記載の画像処理装置。
【請求項８】
無線タグが付加された印刷用紙に画像データを印字する画像データ印字工程と、
前記印字された画像データを中間言語で記憶する印字画像記憶工程と、
前記印刷用紙を無線走査し、前記無線タグへ無線情報を送信する無線送信工程と、
前記印刷用紙を無線走査し、前記無線タグからの無線情報を受信する無線受信工程と、
を含み、
無線送信工程は、前記印字画像工程で記憶されている画像データのアドレスを送信することを特徴とする画像処理方法。
【請求項９】
無線タグが付加された印刷用紙に印字した画像データを記憶する印字画像記憶工程と、
スキャナーの原稿読み取りに同期して無線タグが付加された原稿を無線走査し、無線タグへ無線情報を送信する無線送信工程と、
スキャナーの原稿読み取りに同期して無線タグが付加された原稿を無線走査し、無線タグからの無線情報を受信する無線受信工程と、
前記無線受信工程により読み取られた無線タグの内容を記憶する無線タグ内容記憶工程と、
前記無線タグ内容記憶工程で記憶された内容に基づき画像データを検索する画像データ検索工程と、
前記スキャナーにより読み込まれた画像データと前記画像データ検索工程により検索された画像データとの差分処理を行ない、書き加えられた画像データを抽出する差分データ抽出工程と、
前記差分データ抽出工程で抽出された差分データを記憶する差分データ記憶工程と、
を含むことを特徴とする画像処理方法。
【請求項１０】
請求項８または９に記載の画像処理方法を、コンピュータに実行させるプログラムを記録したことを特徴とするコンピュータ読み取り可能な記録媒体。
【発明の詳細な説明】
【技術分野】
【０００１】
本発明は、マルチファンクション型の画像形成装置などに利用される、画像処理装置、画像処理方法、並びに画像処理方法をコンピュータに実行させるプログラムを記録したコンピュータ読み取り可能な記録媒体に関するものである。
【背景技術】
【０００２】
従来、ＭＦＰ（マルチファンクションプリンタ）は、ＨＤＤ（ハードディスク）を有し、コピー処理後のデータをＨＤＤに蓄積することにより、電子ソート処理の高速化や文章データの保存などに使用されている。
【０００３】
このような装置として、スキャナーにより読み込まれた画像データに対して文字領域の抽出と文字部分の２値化と文字部のＭＭＲ（ｍｏｄｉｆｉｅｄ  ｍｏｄｉｆｉｅｄ  ＲＥＡＤ）圧縮、文字以外の部分のＪＰＥＧ（Ｊｏｉｎｔ  Ｐｈｏｔｏｇｒａｐｈｉｃ  Ｅｘｐｅｒｓ  Ｇｒｏｕｐ）圧縮を行なうことにより、ＰＤＦ（Ｐｏｒｔａｂｌｅ  Ｄｏｃｕｍｅｎｔ  Ｆｏｒｍａｔ）ファイルへ変換し、高圧縮率で圧縮して保存することが開示されている（たとえば、特許文献１参照）。
【０００４】
また、プリンタで印刷した後も、その画像データをプリンタ内部のＨＤＤへ保存し、プリントデータの再利用を図る技術が開示されている（たとえば、特許文献２参照）。
【０００５】
また、スキャナーから入力された原稿を記憶装置に記憶してファイル化する電子ファイル装置において、原稿に、記憶装置の電子ファイルの識別コードを印字し、スキャナーで読み込むときにその識別コードを読み込み、電子ファイルを検索する方法が開示されている（たとえば、特許文献３参照）。
【０００６】
また、原本をコピーするときに原本の画像データを保持し、その原本をコピーする孫コピー時にはコピー原稿から得られた画像データの代わりに保存された原本の画像データを用いてコピーすることにより、孫コピーの画質劣化を防止する方法が開示されている（たとえば、特許文献４参照）。
【０００７】
一方、非特許文献１に記述されているように、個別情報を電子的に保持して電磁誘導により非接触で情報伝達するＩＤ素子（ＲＦＩＤ：Ｒａｄｉｏ  Ｆｒｅｑｕｅｎｃｙ  Ｉｄｅｎｔｉｆｉｃａｔｉｏｎ）技術が開発され、物の識別管理のために応用され始めている。このＩＤ素子を用いた個体認識方式は、流通分野におけるバーコードに替わる技術として注目されている。このようなＩＤ素子を利用するものとして、たとえば、印字用紙に無線タグを付加し、無線タグに印字されたプリント画像データを記憶させる方法が開示されている（たとえば、特許文献５参照）。
【０００８】
【特許文献１】特開２００３−２４４４４７号公報
【特許文献２】特開２００２−７３２９８号公報
【特許文献３】特開平７−２１０６９号公報
【特許文献４】特開平８−３３１３６２号公報
【特許文献５】特開２００２−３３７４２６号公報
【非特許文献１】椎尾一郎，早坂達，「モノに情報を貼り付ける−ＲＦＩＤタグとその応用−」，情報処理学会誌，１９９９年８月，第４０巻８号，ｐ．８４６−８５０
【発明の開示】
【発明が解決しようとする課題】
【０００９】
しかしながら、上記の特許文献１においてＰＤＦへ変換された画像はスキャナーによる読み込み時の画像劣化や文字領域の抽出の抽出ミスによる画像劣化などが顕著に現れるという問題点があった。
【００１０】
また、近年のプリンタの普及は、コピーする画像データの多くがプリンタで印字された画像データであり、プリンタで印字された画像をＨＤＤなどで記憶するプリンタにおいては、そのコピーする画像データの元画像は、プリンタのＨＤＤなどの中に保持されていることが多いため、その記憶容量を多く必要としていた。
【００１１】
本発明は、上記に鑑みてなされたものであって、画像の劣化が少なく、高圧縮率で圧縮して保存することを第１の目的とする。
【００１２】
また、元画像データと、抽出した差分画像とを別々に記憶することにより、画像データの記憶容量を小さくすることを第２の目的とする。
【課題を解決するための手段】
【００１３】
上述した課題を解決し、目的を達成するために、請求項１にかかる発明は、無線タグが付加された印刷用紙に画像データを印字する画像データ印字手段と、前記印字された画像データを中間言語で記憶する印字画像記憶手段と、前記印刷用紙を無線走査し、前記無線タグへ無線情報を送信する無線送信手段と、前記印刷用紙を無線走査し、前記無線タグからの無線情報を受信する無線受信手段と、を備え、無線送信手段は、前記印字画像記憶手段に記憶されている画像データのアドレスを送信することを特徴とする。
【００１４】
この請求項１にかかる発明によれば、印字された画像データを印字画像記憶手段にたとえば中間言語で記憶し、この画像データを後で印字する際に、無線タグが付加された印刷用紙を無線走査し、上記画像データが記憶されている場合に当該画像データを印字画像記憶手段から読み出して印字することにより、画像劣化のない状態で出力することが可能になる。
【００１５】
また、請求項２にかかる発明は、前記無線送信手段は、前記印字画像記憶手段を有する機器を認識するためのコードを送信することを特徴とする。
【００１６】
この請求項２にかかる発明によれば、請求項１において、無線送信手段が、印字画像記憶手段を有する機器を認識するためのコードを送信することにより、印字画像記憶手段に記憶されている画像データを無線走査で特定することが可能になる。
【００１７】
また、請求項３にかかる発明は、無線タグが付加された印刷用紙に印字した画像データを記憶する印字画像記憶手段と、スキャナーの原稿読み取りに同期して無線タグが付加された原稿を無線走査し、無線タグへ無線情報を送信する無線送信手段と、スキャナーの原稿読み取りに同期して無線タグが付加された原稿を無線走査し、無線タグからの無線情報を受信する無線受信手段と、前記無線受信手段により読み取られた無線タグの内容を記憶する無線タグ内容記憶手段と、前記無線タグ内容記憶手段に記憶された内容にしたがって画像データを前記印字画像記憶手段から検索する画像データ検索手段と、前記スキャナーにより読み込まれた画像データと前記画像データ検索手段により検索された画像データとの差分処理を行ない、書き加えられた画像データを抽出する差分データ抽出手段と、前記差分データ抽出手段で抽出された差分データを記憶する差分データ記憶手段と、を備えたことを特徴とする。
【００１８】
この請求項３にかかる発明によれば、印刷時に、印字情報を無線タグへ書き込み、コピーのスキャン時に無線タグ付きの用紙を無線走査し、無線タグデータを読み込み、スキャンしている文章が印字画像記憶手段に蓄積されているかを判断し、印字画像記憶手段に蓄積されている場合は、読み込まれた画像データと印字画像記憶手段の画像データの差分により書き加えられた画像データを抽出し、印字画像記憶手段に蓄積されたれた中間言語へ追加し、所定のフォーマットへ変換することにより、高圧縮率で圧縮し保存することを可能とし、かつ画像の劣化がほとんどなくなり、かつ元画像データと、抽出した差分画像とを別々に記憶することにより、記憶容量を小さくすることが可能になる。
【００１９】
また、請求項４にかかる発明は、前記差分データ抽出手段は、前記画像データ検索手段により検索された画像データへ追加する画像データ生成手段を有することを特徴とする。
【００２０】
この請求項４にかかる発明によれば、請求項３において、画像データ生成手段が画像データ検索手段により検索された画像データへ追加することにより、差分データの追加によって元画像データへの合成が可能になる。
【００２１】
また、請求項５にかかる発明は、前記差分データ抽出手段は、前記印字画像記憶手段に記憶された画像データをプリンタ解像度／コピー解像度の比率にしたがって変倍する変倍手段を有することを特徴とする。
【００２２】
この請求項５にかかる発明によれば、請求項３において、変倍手段が印字画像記憶手段に記憶された画像データをプリンタ解像度／コピー解像度の比率にしたがって変倍することにより、プリンタの解像度とコピー（スキャナー）の解像度を合わせて出力したり保存することが可能になる。
【００２３】
また、請求項６にかかる発明は、前記差分データ抽出手段は、前記スキャナーにより読み込まれた画像データと前記画像データ検索手段により検索された画像データとの不一致量を検出する不一致量検出手段を有することを特徴とする。
【００２４】
この請求項６にかかる発明によれば、請求項３において、不一致量検出手段がスキャナーにより読み込まれた画像データと画像データ検索手段により検索された画像データとの不一致量を検出することにより、その検出量を移動することで両画像の合成が可能になる。
【００２５】
また、請求項７にかかる発明は、前記差分データ抽出手段は、前記不一致量検出手段により抽出された不一致量となるＸ，Ｙ方向を求め、前記画像データ検索手段により検索された画像データを前記Ｘ，Ｙ方向へ移動させる検出画像移動手段を有することを特徴とする。
【００２６】
この請求項７にかかる発明によれば、請求項６において、検出画像移動手段が不一致量検出手段により抽出された不一致量となるＸ，Ｙ方向を求め、画像データ検索手段により検索された画像データをＸ，Ｙ方向へ移動させることにより、スキャナー画像と検索データとを合致させることが可能になる。
【００２７】
また、請求項８にかかる発明は、無線タグが付加された印刷用紙に画像データを印字する画像データ印字工程と、前記印字された画像データを中間言語で記憶する印字画像記憶工程と、前記印刷用紙を無線走査し、前記無線タグへ無線情報を送信する無線送信工程と、前記印刷用紙を無線走査し、前記無線タグからの無線情報を受信する無線受信工程と、を含み、無線送信工程は、前記印字画像工程で記憶されている画像データのアドレスを送信することを特徴とする。
【００２８】
この請求項８にかかる発明によれば、印字された画像データを印字画像記憶手段にたとえば中間言語で記憶し、この画像データを後で印字する際に、無線タグが付加された印刷用紙を無線走査し、上記画像データが記憶されている場合に当該画像データを印字画像記憶手段から読み出して印字することにより、画像劣化のない状態で出力することが可能になる。
【００２９】
また、請求項９にかかる発明は、無線タグが付加された印刷用紙に印字した画像データを記憶する印字画像記憶工程と、スキャナーの原稿読み取りに同期して無線タグが付加された原稿を無線走査し、無線タグへ無線情報を送信する無線送信工程と、スキャナーの原稿読み取りに同期して無線タグが付加された原稿を無線走査し、無線タグからの無線情報を受信する無線受信工程と、前記無線受信工程により読み取られた無線タグの内容を記憶する無線タグ内容記憶工程と、前記無線タグ内容記憶工程で記憶された内容に基づき画像データを検索する画像データ検索工程と、前記スキャナーにより読み込まれた画像データと前記画像データ検索工程により検索された画像データとの差分処理を行ない、書き加えられた画像データを抽出する差分データ抽出工程と、前記差分データ抽出工程で抽出された差分データを記憶する差分データ記憶工程と、を含むことを特徴とする。
【００３０】
この請求項９にかかる発明によれば、印刷時に、印字情報を無線タグへ書き込み、コピーのスキャン時に無線タグ付きの用紙を無線走査し、無線タグデータを読み込み、スキャンしている文章が印字画像記憶手段に蓄積されているかを判断し、印字画像記憶手段に蓄積されている場合は、読み込まれた画像データと印字画像記憶手段の画像データの差分により書き加えられた画像データを抽出し、印字画像記憶手段に蓄積されたれた中間言語へ追加し、所定のフォーマットへ変換することにより、高圧縮率で圧縮し保存することを可能とし、かつ画像の劣化がほとんどなくなり、かつ元画像データと、抽出した差分画像とを別々に記憶することにより、記憶容量を小さくすることが可能になる。
【００３１】
また、請求項１０にかかる発明は、請求項８または９に記載の画像処理方法を、コンピュータに実行させるプログラムを記録したことを特徴とする。
【００３２】
この請求項１０にかかる発明によれば、請求項８または９に記載の画像処理方法を、コンピュータに実行させるプログラムを記録することにより、請求項８または９に記載の画像処理方法をコンピュータ上で動作させることが可能になる。
【発明の効果】
【００３３】
本発明（請求項１）にかかる画像処理装置は、印字された画像データを印字画像記憶手段にたとえば中間言語で記憶し、この画像データを後で印字する際に、無線タグが付加された印刷用紙を無線走査し、上記画像データが記憶されている場合に当該画像データを印字画像記憶手段から読み出して印字するため、画像劣化のない状態でかつ高圧縮率で出力することができるという効果を奏する。
【００３４】
また、本発明（請求項２）にかかる画像処理装置は、請求項１において、印字画像記憶手段を有する機器を認識するためのコードを送信するため、印字画像記憶手段に記憶されている画像データを無線走査で特定するすることができるという効果を奏する。
【００３５】
また、本発明（請求項３）にかかる画像処理装置は、印刷時に、印字情報を無線タグへ書き込み、コピーのスキャン時に無線タグ付きの用紙を無線走査し、無線タグデータを読み込み、スキャンしている文章が印字画像記憶手段に蓄積されているかを判断し、印字画像記憶手段に蓄積されている場合は、読み込まれた画像データと印字画像記憶手段の画像データの差分により書き加えられた画像データを抽出し、印字画像記憶手段に蓄積されたれた中間言語へ追加し、所定のフォーマットへ変換するため、高圧縮率で圧縮し保存することができ、かつ画像の劣化がほとんどなくなり、かつ元画像データと、抽出した差分画像とを別々に記憶するので、記憶容量を小さくすることができるという効果を奏する。
【００３６】
また、本発明（請求項４）にかかる画像処理装置は、請求項３において、画像データ生成手段が画像データ検索手段により検索された画像データへ追加するため、差分データの追加によって元画像データへの合成が可能になるという効果を奏する。
【００３７】
また、本発明（請求項５）にかかる画像処理装置は、請求項３において、変倍手段が印字画像記憶手段に記憶された画像データをプリンタ解像度／コピー解像度の比率にしたがって変倍するため、プリンタの解像度とコピー（スキャナー）の解像度を合わせて出力したり保存することが可能になるという効果を奏する。
【００３８】
また、本発明（請求項６）にかかる画像処理装置は、請求項３において、不一致量検出手段がスキャナーにより読み込まれた画像データと画像データ検索手段により検索された画像データとの不一致量を検出するため、その検出量を移動することで両画像の合成が可能になるという効果を奏する。
【００３９】
また、本発明（請求項７）にかかる画像処理装置は、請求項６において、検出画像移動手段が不一致量検出手段により抽出された不一致量となるＸ，Ｙ方向を求め、画像データ検索手段により検索された画像データをＸ，Ｙ方向へ移動させるので、スキャナー画像と検索データとを合致させることが可能になるという効果を奏する。
【００４０】
また、本発明（請求項８）にかかる画像処理方法は、印字された画像データを印字画像記憶手段にたとえば中間言語で記憶し、この画像データを後で印字する際に、無線タグが付加された印刷用紙を無線走査し、上記画像データが記憶されている場合に当該画像データを印字画像記憶手段から読み出して印字するため、画像劣化のない状態で出力することができるという効果を奏する。
【００４１】
また、本発明（請求項９）にかかる画像処理方法は、印刷時に、印字情報を無線タグへ書き込み、コピーのスキャン時に無線タグ付きの用紙を無線走査し、無線タグデータを読み込み、スキャンしている文章が印字画像記憶手段に蓄積されているかを判断し、印字画像記憶手段に蓄積されている場合は、読み込まれた画像データと印字画像記憶手段の画像データの差分により書き加えられた画像データを抽出し、印字画像記憶手段に蓄積されたれた中間言語へ追加し、所定のフォーマットへ変換するため、高圧縮率で圧縮し保存することができ、かつ画像の劣化がほとんどなくなり、かつ元画像データと、抽出した差分画像とを別々に記憶するので、記憶容量を小さくすることができるという効果を奏する。
【００４２】
また、本発明（請求項１０）にかかる記録媒体は、請求項８または９に記載の画像処理方法を、コンピュータに実行させるプログラムを記録することにより、請求項８または９に記載の画像処理方法をコンピュータ上で動作させることができるという効果を奏する。
【発明を実施するための最良の形態】
【００４３】
以下に添付図面を参照して、この発明にかかる画像処理装置、画像処理方法、並びに画像処理方法をコンピュータに実行させるプログラムを記録したコンピュータ読み取り可能な記録媒体の最良な実施の形態を詳細に説明する。
【００４４】
（実施の形態）
本発明は、印刷用紙に無線タグを付加し、プリント時にＭＦＰ（マルチファンクションプリンタ）を識別するための番号と印字する中間言語のＭＦＰのＨＤＤアドレスを無線タグへ書き込み、コピーのスキャン時に無線タグ付きの用紙をスキャン（無線走査）する。このとき、無線タグデータを読み込み、スキャンしている文章がＨＤＤ（ハードディスク）に蓄積されているかを判断し、ＨＤＤに蓄積されている場合は、読み込まれた画像データとＨＤＤの画像データの差分により書き加えられた画像データを抽出し、ＨＤＤに蓄積されたれた中間言語へ追加し、ＰＤＦ（Ｐｏｒｔａｂｌｅ  Ｄｏｃｕｍｅｎｔ  Ｆｏｒｍａｔ）へ変換することにより、高圧縮率で圧縮し保存することを可能とし、かつ画像の劣化がほとんどないようにするものである。また、元画像データと、抽出した差分画像とを別々に記憶することにより、記憶容量を小さくすることを可能にするものである。以下、具体的に説明する。
【００４５】
まず、本発明が適用される画像形成装置の構成例について説明する。図１は、本発明の実施の形態にかかる画像形成装置の構成を示す説明図である。この画像形成装置は、いわゆる、マルチファンクションタイプであり、複写機能と、これ以外の機能、たとえばプリンタ機能、ファクシミリ機能とを有し、操作部のアプリケーション切り替えキーにより複写機能、プリンタ機能、ファクシミリ機能を順次に切り替えて選択することが可能である。すなわち、複写機能の選択時には複写モードとなり、プリンタ機能の選択時にはプリントモードとなり、ファクシミリモードの選択時にはファクシミリモードとなる。以下、こにような装置を適宜ＭＦＰ機と記述する。
【００４６】
複写モードでは、つぎのように動作する。自動原稿送り装置（以下、ＡＤＦという）１０１においては、原稿台１０２に原稿がその画像面を上にしてセットされる原稿束は、操作部上のスタートキーが押下されると、一番下の原稿が給送ローラ１０３、給送ベルト１０４によってコンタクトガラス１０５上の所定の位置に給送される。ＡＤＦ１０１は一枚の原稿の給送完了ごとに原稿枚数をカウントアップするカウント機能を有する。コンタクトガラス１０５上の原稿は、画像読取装置１０６（以下、スキャナー１０６と記述する）によって画像情報が読み取られた後に、給送ベルト１０４、排送ローラ１０７によって排紙台上に排出される。
【００４７】
原稿セット検出器１０８にて原稿台１０２上につぎの原稿が有ることが検出された場合には、同様に原稿台１０２上の一番下の原稿が給紙ローラ１０３、給送ベルト１０４によってコンタクトガラス１０５上の所定の位置に給送される。このコンタクトガラス１０５上の原稿は、スキャナー１０６によって画像情報が読み取られた後に、給送ベルト１０４、排送ローラ１０７によって排紙台上に排出される。ここで、給送ローラ１０３、給送ベルト１０４および排送ローラ１０７は搬送モータ（不図示）によって駆動される。
【００４８】
第１給紙装置１１２、第２給紙装置１１３、第３給紙装置１１４は、操作部（不図示）から選択されたときあるいは自動選択により、それぞれ第１トレイ１０９、第２トレイ１１０、第３トレイ１１１に積載された転写材としての記録紙を給紙し、この記録紙は縦搬送ユニット１１５によって像担持体としての感光体ドラム１１６に当接する位置まで搬送される。なお、感光体ドラム１１６は、メインモータ（不図示）により回転駆動される。
【００４９】
スキャナー１０６によって原稿から読み込まれた画像データは、図示しない画像処理手段を介して書き込みユニット１１７によって光情報に変換され、感光体ドラム１１６は図示しない帯電器により一様に帯電された後に書き込みユニット１１７からの光情報で露光されて静電潜像が形成される。この感光体ドラム１１６上の静電潜像は現像装置１１８により現像されてトナー像となる。
【００５０】
搬送ベルト１１９は、用紙搬送手段および転写手段を兼ねており、電源から転写バイアスが印加され、縦搬送ユニット１１５から搬送される記録紙を感光体ドラム１１６と等速で搬送しながら感光体ドラム１１６上のトナー像を記録紙に転写させる。この記録紙は、定着装置１２０によりトナー像が定着され、排紙ユニット１２１により排紙トレイに排出される。感光体ドラム１１６はトナー像が転写された後に図示しないクリーニング装置によりクリーニングされる。なお、感光体ドラム１１６、帯電器、書き込みユニット１１７、現像装置１１８、転写手段は画像データにより画像を記録紙上に形成する画像形成手段を構成している。
【００５１】
以上の動作は通常のモードで用紙の片面に画像を複写するときの動作であるが、両面モードで記録紙の両面に画像を複写する場合には、それぞれの給紙トレイ１０９〜１１１のいずれかより給紙されて表面に上述のように画像が形成された記録紙は、排紙ユニット１２１により排紙トレイ側ではなく両面入紙搬送路１３３側に切り替えられ、反転ユニット１３４によりスイッチバックされて表裏が反転され、両面搬送ユニットへ搬送される。
【００５２】
この両面搬送ユニットへ搬送された記録紙は、両面搬送ユニットにより縦搬送ユニット１１６へ搬送され、縦搬送ユニット１１５により感光体ドラム１１６に当接する位置まで搬送され、感光体ドラム１１６上に上述と同様に形成されたトナー像が裏面に転写されて定着装置１２０でトナー像が定着されることにより両面コピーとなる。この両面コピーは排紙ユニット１２１により排紙トレイに排出される。
【００５３】
また、記録紙を反転して排出する場合には、反転ユニットによりスイッチバックして、表裏を反転する。そして、その記録紙は、両面搬送ユニット１３４に搬送されずに反転排紙搬送路を経て排紙ユニット１３３により排紙トレイに排出される。
【００５４】
プリントモードでは、上記読み取って処理された画像データの代りに外部からの画像データが書き込みユニット１１７に入力されて上述の画像形成手段により記録紙上に画像が形成される。さらに、ファクシミリモードでは、画像読取装置１０６からの画像データが図示しないファクシミリ送受信部により相手側ファクシミリ装置に送信され、相手側からの画像データがファクシミリ送受信部で受信されて書き込みユニット１１７に入力されることにより、上述の画像形成手段により記録紙上に画像が形成される。
【００５５】
図２に、図１のスキャナー１０６の概要を示し、図３には主にスキャナー１０６の光学系の概要を示す。第１キャリッジ１５０と第２キャリッジ１５１は、２本の対称に張架されたワイヤ１５３により、フォワ−ド方向とその逆のリタ−ン方向に駆動され、フォワ−ド方向の駆動の間に、原稿の画像の輝度が、ＣＣＤ１３８で電気信号に変換される。ワイヤ１５３は、駆動軸４と一体となったプーリ１５５に巻かれその回転により駆動される。プーリ１５５は、タイミングベルト１５６で、ステッピングモータ１５８の出力軸と一体となっているプーリ１５７に結合している。モータ１５８が正転すると、第１キャリッジ１５０がフォワ−ド方向に移動し、第２キャリッジ１５１がそれと同方向にその半分の速度で移動する。図２、図３における第１キャリッジ１５０と第２キャリッジ１５１の部分が走行体であり、主走査方向にランプを照射し、その反射光をミラー１３６，１３９，１４０、レンズ１３７をかいして主走査方向のＣＣＤ１３８へ集光し、順次、副走査方向に移動していく。
【００５６】
上記第１キャリッジ１５０の部分に、前述したアンテナ２７（図４参照）を配置する。図５は第１キャリッジ１５０（走査体）により、原稿を副走査方向にスキャン（光学走査）する例を示すものである。
【００５７】
特に、図６に示すように、本装置では、給紙部の給紙ローラ１１２ａ（１１３ａ，１１４ａ）の直前に、電波を送受信するアンテナ２７を配置している。この給紙ローラ２８とアンテナ２７と記録紙の関係を図２に示す。このようにアンテナ２７を長くのばし、図６に示すように記録紙（プリンタ用紙３００）の進行方向に対して垂直方向に長く伸ばし記録紙全体のＲＦＩＤを検出できるように構成する。
【００５８】
図７に無線タグつきのプリンタ用紙２５０の例を示す。このように印字領域２５３の外側にアンテナ２５１、無線タグ２５２を付加している。図８に無線タグつきの印字用紙に印字した例を示す。また、図９に無線タグつきの印字用紙に印字した用紙にメモ書きした例を示す。
【００５９】
図１０は、本発明の実施の形態にかかる処理の概念を示す説明図である。この図において、プリンタで印字するときにその中間言語をＨＤＤに保持している。そして、ユーザーはその印字されたプリンタ用紙にミーテイング時にメモ書きなどを行う。そのメモ書きされた用紙をスキャナー１０６で読み取り、その画像と、ＨＤＤへ蓄えられた画像の差分画像を求め、その差分画像を中間言語へ追加し、新たな中間言語を生成する。これら具体的手段については後述する。
【００６０】
図１１は、図１における電装・制御装置の構成を示すブロック図である。この図において、スキャナー１０６は、前述したように光学走査した原稿画像をＣＣＤにより読み込む。平滑フィルター処理装置２１５は、スキャナー１０６から読み込んだ画像データをシェーデイング補正、ＭＴＦγ補正などの画像処理を行う。ＣＰＵ２０１は、ＭＦＰ（マルチファンクションプリンタ）機器全体の制御や、ＰＤＬの解析、中間言語化処理、中間言語→ＰＤＦ変換処理などを行う。ＣＰＵＩ／Ｆ２０２は、メモリコントローラ２０３に接続され、ＣＰＵ２０１とメモリコントローラ２０３間のインターフェイスを処理する。メモリコントローラ２０３は、４メインメモリ２０４を制御し、ＣＰＵ２０１、ローカルバスＩ／Ｆ２０６、画像処理装置２１７、通信処理装置２１３、描画装置２０５などとメインメモリ２０４との転送を制御する。メインメモリ２０４は、スキャナー１０６からの画像を画像処理したものや、プリンタのＰＤＬやＣＰＵ２０１のプログラムや各種データなどを格納する。画像処理装置２１７は、メインメモリ２０４の画像データに対して色変換処理、階調処理などを行ない、エンジンコントローラ２１８へ転送する。エンジンコントローラ２１８は、プリンタエンジン２１９を制御する。プリンタエンジン２１９は、エンジンコントローラ２１８からの画像データを記録紙に印字する。
【００６１】
リーダライター２１４は、プリンタ用アンテナ２７Ｐに対して無線タグへの要求を送信したり、無線タグからの回答を受信したりする。プリンタ用アンテナ２７Ｐは、プリンタ用紙２５０の給紙動作に同期して、プリンタ用紙２５０に付加する無線タグへＨＤＤ２１２に印字するプリンタ画像の中間言語のアドレスなどを書き込む。スキャナー用アンテナ２７Ｓは、スキャナー１０６に同期して、スキャナー用紙（原稿）に付加する無線タグへ読み込み、無線タグの認識番号や、印字されたプリンタ画像の中間言語のアドレスなどを読み込む。リーダライター２１６は、スキャナー用アンテナ２７Ｓに対して無線タグへの要求を送信したり、無線タグからの回答を受信したりする。ＨＤＤ制御装置２１１は、ＨＤＤ２１２を制御し、メインメモリ２０４の中間言語を書き込み／読み込みなどを行う。ＨＤＤ２１２は、メインメモリ２０４の中間言語などを記憶する。描画装置２０５は、メインメモリ２０４の中間言語を読み込み、メインメモリ２０４のページメモリ領域へ描画処理を行う。ローカルバスＩ／Ｆ２０６は、ＲＯＭ２０７、パネルコントローラ２０８などと、ＣＰＵ２０１、メインメモリ２０４などとのインターフェイスを処理する。ＲＯＭ２０７は、文字などのフォント情報や、ＣＰＵ２０１のプログラムなどを格納する。パネルコントローラ２０８は、オペレーションパネル２０９を制御する。オペレーションパネル２０９は、ユーザーからの操作を本装置へ知らせる。通信処理装置２１３は、ＰＣ２００からのＰＤＬを受け取ったり、ＨＤＤ２１２に蓄積された画像データをＰＣ２００へ転送する。ＰＣ（パーソナルコンピュータ）２００は、ネットワーク５０を介してＭＦＰ機に接続され、ＰＤＬの生成や、ＭＦＰ機へ蓄積された画像を読み込む。
【００６２】
ネットワーク５０は、公衆回線や専用回線を経由して外部と接続するＷＡＮ（Ｗｉｄｅ  Ａｒｅａ  Ｎｅｔｗｏｒｋ：広域通信網）と、同一敷地内でネットークを構築するＬＡＮ（Ｌｏｃａｌ  Ａｒｅａ  Ｎｅｔｗｏｒｋ：構内通信網）に分類される方式、あるいは、そのいずれの方式であってもよい。また、インターネット機能を備える場合、ＴＣＰ／ＩＰ（Ｔｒａｎｓｍｉｓｓｉｏｎ  Ｃｏｎｔｏｒｏｌ  Ｐｒｏｔｏｃｏｌ／Ｉｎｔｅｒｎｅｔ  Ｐｒｏｔｏｃｏｌ）であってもよい。さらには、無線ＬＡＮによる接続であってももちろんよい。
【００６３】
図１２は、本発明の実施の形態にかかる中間言語化の処理動作を示すフローチャートである。この図において、まず、ＨＤＤ２１２内のプリンタ画像中間言語をスキャナＤＰＩ（解像度）で描画処理を行ない（ステップＳ１）、プリンタＲＧＢ画像を得る。他方、スキャナー１０６からの画像を平滑フィルター処理装置２１５で処理し（ステップＳ２）、スキャナーＲＧＢ画像を得る。続いて、このプリンタＲＧＢ画像とスキャナーＲＧＢ画像の画像マッチング処理を実行し（ステップＳ３）、画像処理後のＲＧＢ画像を生成する。続いて、差分画像処理を行ない（ステップＳ４）、差分ＲＧＢ画像を生成し、これを中間言語として合成処理し（ステップＳ５）、合成後のプリンタ画像の中間言語を生成する。
【００６４】
すなわち、プリンタの解像度とスキャナー解像度の違いから、中間言語を縮小して描画し、プリンタ画像を生成する。そして、スキャナー画像とプリンタ画像でのマッチング処理を行ない、プリンタ画像が、スキャナー画像と一致するようにＸ，Ｙ方向に移動させて描画処理を行ない、画像処理後のプリンタ画像を生成する。さらに画像処理後のプリンタ画像とスキャナー画像の差分画像処理を行なって差分画像を生成する。最後に差分画像と中間言語を合成し、新たな中間言語を生成する。
【００６５】
図１３に中間言語の例を示す。ここでの中間言語３００は、四角形描画、３角形描画などのグラフィックス描画をコマンドと写真画像を描画する写真画像描画コマンドからなっている。すなわち、ページ初期化コマンド３０１、色定義コマンド３０２、四角形描画コマンド３０３、色定義コマンド３０４、３角形描画コマンド３０５、色定義コマンド３０６、線描画コマンド３０７、写真画像描画コマンド３０８、ページ終了コマンド３０９などから構成されている。なお、スキャナー１０６からの画像をそのまま記憶する場合は、ページ初期化コマンド３０１と写真画像描画コマンド３０８とページ終了コマンド３０９により構成される。
【００６６】
図１４は、図１１における電装・制御装置の処理の概念を示すブロック図である。ＰＣ２００は、印字するためのＰＤＬを通信処理装置２１３へ転送したり、ＭＦＰ機が保存する画像データを読み込んだりする。通信処理装置２１３は、ＰＣ２００からのＰＤＬをメインメモリ２０４のＰＤＬメモリ領域２０４ｂへ書き込んだり、中間言語→ＰＤＦ変換装置２２２からの中間言語からＰＤＦへ変換されたファイルを受け取り、ＰＣ２００へ転送する。メインメモリ２０４は、ページ画像データや、プリンタのＰＤＬ、中間言語、アンテナで読み込まれた無線タグ情報などを格納する。ＣＰＵ２０１は、通信処理装置２１３により読み込まれたＰＤＬを解析して中間言語を生成し、メインメモリ２０４の中間言語メモリ領域２０４ｃへ書き込む。描画装置２０５は、メインメモリ２０４の中間言語を読み込み、メインメモリ２０４のページメモリ領域２０４ｄへ描画処理を行う。画像処理装置２１７は、メインメモリ２０４のページメモリ領域２０４ｄの画像データを読み込み、色変換処理、階調処理などを行ない、エンジンコントローラ２１８へ転送する。エンジンコントローラ２１８は、画像処理装置２１７から画像データを受け取りプリンタエンジン２１９へ転送する。
【００６７】
また、ＨＤＤ制御装置２１１は、メインメモリ２０４の中間言語メモリ領域２０４ｃのデータをＨＤＤ２１２へ書き込んだり、ＨＤＤ２１２に記憶された画像の中間言語を読み込み、メインメモリ２０４の中間言語メモリ領域２０４ｃへ転送する。ＨＤＤ２１２は、ＨＤＤ制御装置２１１により制御され、中間言語を記憶する。スキャナー１０６は、多値のＲＧＢの画像データを読み込む。平滑フィルター処理装置２１５は、スキャナー１０６から読み込んだ画像データをシェーデイング補正、ＭＴＦγ補正などの画像処理を行ないメインメモリ２０４のページメモリ領域２０４ｄへ書き込む。中間言語化装置２２１は、ＨＤＤ２１２に記憶された画像の中間言語をスキャナー１０６からの画像との不一致処理や、差分処理を行ない、差分画像を抽出し、旧中間言語に差分画像を追加し新たな中間言語を生成する処理を行う。
【００６８】
また、スキャナー用アンテナ２７Ｓは、図５に示すように副走査方向に移動しながら無線タグへの電波を送信したり、無線タグからの電波を受信したりし、読み込む用紙の無線タグを探査し、その識別コードを認識し、その内容を読み込み、メインメモリ２０４の無線タグ情報メモリ領域２０４ａへ書き込む。リーダライター２１６は、スキャナー用アンテナ２７Ｓに対して無線タグへの要求を送信したり、無線タグからの回答を受信したりする。無線タグ制御装置２２０、スキャナー用アンテナ２７Ｓ、プリンタ用アンテナ２７Ｐを制御する。プリンタ用アンテナ２７Ｐは、図６に示すようにプリンタの給紙動作に同期して、印字用紙の無線タグへの電波を送信したり、無線タグからの電波を受信したりし、印字用紙の無線タグを探査し、識別コードと、図２０に示すような情報を書き込む。リーダライター２１４は、プリンタ用アンテナ２７Ｐに対して無線タグへの要求を送信したり、無線タグからの回答を受信したりする。中間言語→ＰＤＦ変換装置２２２は、メインメモリ２０４の中間言語メモリ領域２０４ｂから中間言語を読み込みＰＤＦへ変換し、通信処理装置２１３を経由させてＰＣ２００へ転送する。
【００６９】
つぎに、図１５〜図１９を参照し、本システムを使用したシステムの処理動作について説明する。図１５は、無線タグ付き印字用紙（プリント用紙２５０）へのプリント処理の流れを示すブロック図である。番号付き矢印で示すように、ＭＦＰ機は、ＰＣ２００からＰＤＦファイルを受け取る。ＣＰＵ２０１（ＰＤＬ解析装置）は、メインメモリ２０４のＰＤＬメモリ領域２０４ｂからＰＤＬを読み込んで解析し、中間言語メモリ領域２０４ｃへ書き込む。描画装置２０５は、中間言語メモリ領域２０４ｃから中間言語を読み込みページメモリ領域２０４ｄへ描画する。ＨＤＤ制御装置２１１は、中間言語メモリ領域２０４ｃのデータをＨＤＤ２１２へ書き込み。そのアドレスを無線タグ制御装置２２０へ転送する。無線タグ制御装置２２０は、無線タグ付き印字用紙の無線タグへ印字する画像データのアドレスなどをプリンタ用アンテナ２７Ｐへ送り、無線タグ付き印字用紙（プリント用紙２５０）の無線タグへ書き込む。画像処理装置２１７は、ページメモリ領域２０４ｄの画像データを読み込んで画像処理を行ない、プリンタエンジン２１９へ転送する。
【００７０】
図１６は、スキャナー画像（用紙には無線タグが付加されている。）をＨＤＤ２１２へ保存する場合における処理の流れを示すブロック図である。なお、図１６の処理は図１７の処理へ続くものである。番号付き矢印で示すように、スキャナー用アンテナ２７Ｓにより、付加した無線タグを探知し、ＭＦＰ機のＨＤＤ２１２のアドレスを読み込み、ＨＤＤ制御装置２１１へアドレスを転送する。スキャナー１０６は、画像を読み込み、平滑フィルタ処理後、ページメモリ領域２０４ｄへ転送する。ＨＤＤ制御装置２１１は、無線タグ制御装置２２０からＨＤＤ２１２のアドレスを受け取り、ＨＤＤ２１２の中間言語を読み込み中間言語メモリ領域２０４ｃへ“旧中間言語”を生成する。中間言語化装置２２１は、描画装置２０５へスキャナー１０６とプリンタの解像度の違いから生じる縮小率や、スキャン時の読み込み誤差による移動値Ｘ，Ｙなどを設定する。描画装置２０５は、中間言語化装置２２１の設定に基づき、中間言語メモリ領域２０４ｃの“旧中間言語”を読み込みページメモリ領域２０４ｄへプリンタ画像を描画する。中間言語化装置２１５は、ページメモリ領域２０４ｄのスキャナー画像とプリンタ画像を読み込み不一致チェックを行ない、未だ全体が一致しない場合は移動値Ｘ，Ｙを求め直し、上記の処理を繰り返し実行する。
【００７１】
図１７は、図１６の続きの処理を示すブロック図である。番号付き矢印で示すように、中間言語化装置２２１は、ページメモリ領域２０４ｄからスキャナー画像とプリンタ画像を読み込み、差分画像を生成する。中間言語化装置２２１は、ページメモリ領域２０４ｄの差分画像と中間言語メモリの“旧中間言語”を読み込み、“旧中間言語”に差分画像を付加し、“新中間言語”を生成する。ＨＤＤ制御装置２１１は、中間言語メモリ領域２０４ｃの“新中間言語”を読み込みＨＤＤ２１２へ格納する。
【００７２】
図１８は、スキャナー画像をＨＤＤ２１２へ保存する場合における処理の流れを示すブロック図であり、スキャナー画像がＨＤＤ２１２に記憶されていないか、もしくは読み込んだ用紙に無線タグがない場合である。番号付き矢印で示すように、スキャナー用アンテナ２７Ｐにより、付加した無線タグを探知しようとしたが探知できないか、ＨＤＤ２１２にそのデータがない場合である。スキャナー１０６は画像を読み込み、平滑フィルタ処理後、ページメモリ領域２０４ｄへ転送する。中間言語化装置２２１は、ページメモリ領域２０４ｄのスキャナー画像を読み込み中間言語として、中間言語メモリ領域２０４ｃへ“新中間言語”を生成する。ＨＤＤ制御装置２１１は、中間言語メモリ領域２０４ｃの“新中間言語”を読み込みＨＤＤ２１２へ格納する。
【００７３】
図１９は、ＨＤＤ２１２の画像データをＰＣ２００で読み込む処理の流れを示すブロック図である。番号付き矢印で示すように、ＨＤＤ制御装置２１１は、ＰＣ２００から指定された画像データの中間言語を中間言語メモリ領域２０４ｃへ転送する。中間言語→ＰＤＦ変換装置２２２は、中間言語メモリ領域２０４ｃの中間言語を読み込みＰＤＦへ変換し、通信処理装置２１３へ転送する。通信処理装置２１３は、中間言語→ＰＤＦ変換装置２２２からＰＤＦを受け取りＰＣ２００へ転送する。
【００７４】
図２０に、印字用紙に付加する無線タグの記憶する内容の例を示す。すなわち、タグ情報３１０として、時間、ＭＦＰ番号、ＭＦＰの記録アドレス、ページ番号、ユーザー名を記憶する。
【００７５】
図２１は、図１４における中間言語化装置２２１の処理動作を示すフローチャートである。この中間言語化装置は、図１３ではＣＰＵ２０１に該当する。この図において、まず、移動値ＭＸ，ＭＹを初期化し（ステップＳ２１）、旧中間言語をスキャナー解像度へ縮小し、移動値ＭＸ，ＭＹを移動して描画処理を実行し（ステップＳ２２）、プリンタ画像データを得る（ステップＳ２３）。続いて、スキャナー１０６から読み込まれたスキャナー画像データとプリンタ画像データの不一致処理を行ない（ステップＳ２４）、十分な不一致画像を抽出することができたか否かを判断する（ステップＳ２５）。ここで、十分な不一致画像を抽出することができないと判断した場合（判断、Ｎｏ）、ステップＳ２２に戻る。一方、ステップＳ２５において十分な不一致画像を抽出することができたと判断した場合（判断、Ｙｅｓ）、スキャナー１０６の画像データとプリンタ画像データの不一致画像を囲む四角形の左上のＸ，Ｙ座標と右下のＸ，Ｙ座標を求め、差分画像を抽出する（ステップＳ２７、Ｓ２８）。続いて、プリンタ解像度での差分画像上の左上のＸ，Ｙ座標を求め、スキャナー画像とプリンタ画像の解像度による拡大率を求め、旧中間言語に差分画像と右辺上の描画座標Ｘ，Ｙと拡大率を追加し、新しい中間言語を作成する（ステップＳ２９、Ｓ３０）。
【００７６】
図２２は、図１１における描画装置２０５の詳細構成を示すブロック図である。この図において、この描画装置２０５は、メモリコントローラＩ／Ｆ３１１、描画コマンド解析装置３１２、描画座標縮小処理装置３１３、描画座標移動処理装置３１４、描画処理装置３１５、ＲＯＰ処理装置３１６、描画位置移動処理装置３１７、画像データ縮小装置３１８、パラメータ記憶装置３１９を備えている。
【００７７】
メモリコントローラＩ／Ｆ３１１は、メモリコントローラ２０３とのインターフェイス処理を行う。描画コマンド解析装置３１２は、メインメモリ２０４の中間言語を受け取り、各描画コマンドを解析し、グラフィックス描画コマンドは描画座標縮小処理装置３１３へ転送され、写真画像データは描画位置移動処理装置３１７へ転送される。描画座標縮小処理装置３１３は、スキャナー画像の比較画像を生成するときに、中間言語化装置２２１により生成されたスキャナー解像度／プリンタ解像度の縮小率を受け取り、描画座標の縮小処理を行う。描画座標移動処理装置３１４は、スキャナー画像の比較画像を生成するときに、中間言語化装置２２１により生成された移動値Ｘ，Ｙにより、描画座標を移動させる。描画処理装置３１５は、グラフィックス画像を描画処理を行う。ＲＯＰ処理装置３１６は、描画処理装置３１５から受け取った描画データに論理演算処理を行ないメモリコントローラＩ／Ｆ３１１へ転送する。描画位置移動処理装置３１７は、スキャナー画像の比較画像を生成するときに、中間言語化装置２２１で生成された移動値Ｘ，Ｙにより写真画像の描画位置を移動させる。画像データ縮小装置３１８は、スキャナー画像の比較画像を生成するときに、中間言語化装置２２１により生成されたスキャナー解像度／プリンタ解像度の縮小率を受け取り、写真画像の縮小処理を行う。プリント時は、写真画像データの描画処理を行ない、メモリコントローラＩ／Ｆ３１１へ転送する。
【００７８】
図２３は、図１１における画像処理装置２１７の詳細構成を示すブロック図である。図に示すように、この画像処理装置２１７は、メモリコントローラＩ／Ｆ３２１、色変換処理装置３２２、階調処理装置３２３、バッファー３２４、パラメータ記憶装置３２５、エンジンコントローラＩ／Ｆ３２６を備えている。
【００７９】
メモリコントローラＩ／Ｆ３２１は、メモリコントローラ２０３とのインターフェイス処理を行う。色変換処理装置３２２は、メインメモリ２０４のページメモリ領域２０４ｄの画像データを読み込んでＲＧＢからＣＭＹＫへ色変換する。階調処理装置３２３は、色変換処理装置３２２からのＣＭＹＫ画像データに対して階調処理を行う。バッファー３２４は、階調処理装置３２３の階調処理後における画像データを一時記憶する。パラメータ記憶装置３２５は、色変換処理装置３２２、階調処理装置３２４のパラメータを記憶する。エンジンコントローラＩ／Ｆ３２６は、エンジンコントローラ２１８とのインターフェイス処理を実行する。
【００８０】
つぎに、図２４に示すブロック図を参照し、無線タグとリーダライター２１４，２１６の構成について説明する。無線タグ３５０は、メモリ３５１、データ処理回路３５２、変調回路３５３、送信ドライバー３５４、電源生成回路３５６、復調回路３５７、アンテナ入力回路３６８、受送信アンテナ３５９を備えている。
【００８１】
メモリ３５１は、無線タグの認識番号や無線タグの内容などを記憶する。データ処理回路３５２は、各種のデータ処理を行なう。変調回路３５３は、送信データに対して変調処理を行なう。送信ドライバー３５４は、送信処理を行なう。アンテナ入力回路３５８は、受送信アンテナ３５９の制御を行なう。電源生成回路３５６は、受信した電力波を整流して平滑することにより、安定した直流電圧を生成して、各回路に動作電圧として供給する。復調回路３５７は、受信信号に対して復調処理を行なう。
【００８２】
リーダライター２１４，２１６は、データ処理回路３６１、変調回路３６２、送信ドライバー３６３、アンテナ入力回路３６４、復調回路３６５を備えている。
【００８３】
データ処理回路３６１は、各種のデータ処理を行い、受信した情報を無線タグ制御装置２２０へ転送する。変調回路３６２は、送信データに対して変調処理を行なう。送信ドライバー３６３は、送信処理を行なう。アンテナ入力回路３６４は、受送信アンテナの制御を行なう。復調回路３６５は、受信信号に対して復調処理を行なう。
【００８４】
図２５は、無線タグ３５０とリーダライター２１４，２１６との交信動作例を示す説明図である。まず、リーダライター３６０は無線タグ３５０に対して識別情報の要求を行なう（Ｓ４１）。すると、無線タグ３５０はリーダライター２１４，２１６に対してその識別情報の応答を行なう（Ｓ４２）．続いて、リーダライター２１４，２１６は無線タグ３５０に対して記録内容のアクセスを要求する（Ｓ４３）。すると、無線タグ３５０はリーダライター２１４，２１６に対して記録内容のアクセス情報（たとえば図２０参照）の応答を行なう（Ｓ４４）。
【００８５】
以上、プリンタ画像を中間言語で格納した例を示したが、プリンタ画像がＰＩＸＥＬごとの画像データで構成される場合も、同様に類推することができる。
【００８６】
ところで、ＰＤＬとは、ｐａｇｅ  ｄｅｓｃｒｉｐｔｉｏｎ  ｌａｎｇｕａｇｅの略であり、ページプリンタにおいて、ページイメージを作成するためのプリンタ制御コード（言語）。単純な文字印字のほか、図形描画などの機能を拡張している場合が多い。代表的なページ記述言語としてはＰｏｓｔＳｃｒｉｐｔ（ポストスクリプト）、ＨＰ−ＰＣＬ、ＬＩＰＳ、ＥＳＣ／Ｐａｇｅ、ＰＲＥＳＣＲＩＢＥなどがある。また、ＰＤＦとは、Ｐｏｒｔａｂｌｅ  Ｄｏｃｕｍｅｎｔ  Ｆｏｒｍａｔの略であり、特定のプラットフォームに依存せずに表示できる文書を実現するために開発されたドキュメントフォーマット。米国Ａｄｏｂｅ社により開発された。このＰＤＦを利用すれば、各種文字修飾や段組処理など、従来は特定アプリケーションに依存しなければ扱えなかった文書を、さまざまなプラットフォームで表示できるようになる。
【００８７】
したがって、以上説明した実施の形態によれば、印刷用紙に無線タグを付加し、プリント時にＭＦＰの番号と印字する中間言語のＭＦＰのＨＤＤアドレスを無線タグへ書き込み、コピーのスキャン時に無線タグ付きの用紙をスキャンする場合に、無線タグデータを読み込み、スキャンしている文章がＨＤＤ２１２に記憶されているかを判断し、ＨＤＤ２１２に記憶されている場合は、読み込まれた画像データとＨＤＤ２１２の画像データの差分により書き加えられた画像データを抽出し、ＨＤＤ２１２へ蓄積された中間言語へ追加し、ＰＤＦへ変換することにより、画像の劣化がほとんどない状態で高圧縮率で圧縮し保存することができる。また、元画像データと、抽出した差分画像とを別々に記憶することにより、記憶容量を小さくすることができる。
【００８８】
ところで、これまで説明してきた実施の形態における画像処理方法（動作）を、プログラム化し、コンピュータ読み取り可能な記録媒体に記録し、コンピュータ上で実行することもできる。また、画像処理方法の一部をネットワーク上に有し、通信回線を通して実現することもできる。
【００８９】
すなわち、この実施の形態で説明した画像処理方法は、図２６に示すように、あらかじめ用意されたプログラムをパーソナルコンピュータやワークステーションなどのコンピュータ（ＣＰＵ３０）で実行することにより実現される。このプログラムは、キーボード２５の操作などにより、メモリ３１、ハードディスク３４、フレキシブルディスク３７、ＣＤ−ＲＯＭ（Ｃｏｍｐａｃｔ−Ｄｉｓｃ  Ｒｅａｄ  Ｏｎｌｙ  Ｍｅｍｏｒｙ）３６、ＭＯ（Ｍａｇｎｅｔｏ  Ｏｐｔｉｃａｌ）、ＤＶＤ（Ｄｉｇｉｔａｌ  Ｖｅｒｓａｔｉｌｅ  Ｄｉｓｃ）などのコンピュータで読み取り可能な記録媒体に記録され、コンピュータ（ＣＰＵ３０）によって記録媒体から読み出し、必要に応じて表示装置３３に表示することによって実行される。また、必要に応じてこの画像処理方法のデータを通信装置３２から外部装置に送受信することも可能である。
【００９０】
また、このプログラムは、図２７に示すように、上記記録媒体を介して、インターネット３０などのネットワークによってパーソナルコンピュータなどの装置４１〜４３に配布することができる。
【００９１】
すなわち、このプログラムは、たとえばコンピュータに内蔵されている記録媒体としてのハードディスクに、あらかじめインストールした状態で提供することができる。プログラムは記録媒体に一時的あるいは永続的に格納し、コンピュータにユニットとして組み込んだり、あるいは着脱式の記録媒体として利用することで、パッケージソフトウェアとして提供することができる。
【００９２】
記録媒体としては、たとえば、フレキシブルディスク、ＣＤ−ＲＯＭ、ＭＯディスク、ＤＶＤ、磁気ディスク、半導体メモリなどが利用できる。
【００９３】
プログラムは、ダウンロードサイトから、ＬＡＮ（Ｌｏｃａｌ  Ａｒｅａ  Ｎｅｔｗｏｒｋ）やインターネットといったネットワークを介して、有線または無線でコンピュータに転送し、そのコンピュータにおいて、内蔵するハードディスクなどの記憶装置にダウンロードさせるようにすることができる。
【産業上の利用可能性】
【００９４】
以上のように、本発明にかかる画像処理装置、画像処理方法、並びに画像処理方法をコンピュータに実行させるプログラムを記録したコンピュータ読み取り可能な記録媒体は、カラーデジタル複写機やカラーレーザプリンタなどの画像出力を行なう装置およびシステムなどに有用であり、特に、コピー（スキャン）時／プリント時に保存されている画像データを無線タグで検索し、読み出しや編集加工、更新するといった処理を実現する各種の画像出力システムに適している。
【図面の簡単な説明】
【００９５】
【図１】本発明の実施の形態にかかる画像形成装置の構成を示す説明図である。
【図２】図１９におけるスキャナーの構成を示す説明図である。
【図３】図１９におけるスキャナーの読取光学系の構成を示す断面図である。
【図４】本発明の実施の形態にかかるアンテナの例を示す説明図である。
【図５】原稿に対するアンテナの配置および走査位置関係を示す説明図である。
【図６】図１におけるアンテナと給紙ローラとの関係を示す説明図である。
【図７】本発明の実施の形態にかかる無線タグ付き印字用紙の例を示す説明図である。
【図８】図７の無線タグ付き印字用紙での印字例を示す説明図である。
【図９】図８の印字画像に書き込みを行なった例を示す説明図である。
【図１０】本発明の実施の形態にかかる処理の概念を示す説明図である。
【図１１】図１における電装・制御装置の構成を示すブロック図である。
【図１２】本発明の実施の形態にかかる中間言語化の処理動作を示すフローチャートである。
【図１３】本発明の実施の形態にかかる中間言語の例を示す説明図である。
【図１４】図１１における電装・制御装置の処理の概念を示すブロック図である。
【図１５】無線タグ付き印字用紙へのプリント処理の流れを示すブロック図である。
【図１６】スキャナー画像（用紙には無線タグが付加している。）をＨＤＤへ保存する場合における処理の流れを示すブロック図である。
【図１７】図１６の続きの処理を示すブロック図である。
【図１８】スキャナー画像をＨＤＤへ保存する場合における処理の流れを示すブロック図である。
【図１９】ＨＤＤの画像データをＰＣで読み込む処理の流れを示すブロック図である。
【図２０】印字用紙に付加する無線タグの記憶する内容例を示す説明図である。
【図２１】図１４における中間言語化装置の処理動作を示すフローチャートである。
【図２２】図１１における描画装置の詳細構成を示すブロック図である。
【図２３】図１１における画像処理装置の詳細構成を示すブロック図である。
【図２４】無線タグとリーダライターの構成を示すブロック図である。
【図２５】無線タグとリーダライターとの交信動作例を示す説明図である。
【図２６】本発明の実施の形態にかかる画像処理方法をコンピュータに実行させる例を示すブロック図である。
【図２７】本発明の実施の形態にかかる画像処理方法をネットワーク上からダウンロードして実行させる例を示すブロック図である。
【符号の説明】
【００９６】
２７  アンテナ
１０６  スキャナー
２０１  ＣＰＵ
２０３  メモリコントローラ
２０４  メインメモリ
２０５  描画装置
２１１  ＨＤＤ制御装置
２１２  ＨＤＤ
２１４，２１６  リーダライター
２１７  画像処理装置
２１８  エンジンコントローラ
２１９  プリンタエンジン
２２０  無線タグ制御装置
２２１  中間言語化装置
２２２  中間言語→ＰＤＦ変換装置
２５０  プリンタ用紙
２５１  アンテナ
２５２  無線タグ
【図１】
2006011977.tif 000003
【図２】
2006011977.tif 000004
【図３】
2006011977.tif 000005
【図４】
2006011977.tif 000006
【図５】
2006011977.tif 000007
【図６】
2006011977.tif 000008
【図７】
2006011977.tif 000009
【図８】
2006011977.tif 000010
【図９】
2006011977.tif 000011
【図１０】
2006011977.tif 000012
【図１１】
2006011977.tif 000013
【図１２】
2006011977.tif 000014
【図１３】
2006011977.tif 000015
【図１４】
2006011977.tif 000016
【図１５】
2006011977.tif 000017
【図１６】
2006011977.tif 000018
【図１７】
2006011977.tif 000019
【図１８】
2006011977.tif 000020
【図１９】
2006011977.tif 000021
【図２０】
2006011977.tif 000022
【図２１】
2006011977.tif 000023
【図２２】
2006011977.tif 000024
【図２３】
2006011977.tif 000025
【図２４】
2006011977.tif 000026
【図２５】
2006011977.tif 000027
【図２６】
2006011977.tif 000028
【図２７】
2006011977.tif 000029